(57)【要約】【課題】自動販売機自体の大型化や商品収納数の低減化を抑制し、ディスプレイ装置からの排気を外部に良好に排出することで排熱により自動販売機構成機器に悪影響を与えることを防止することができる自動販売機を提供すること。【解決手段】本体キャビネット１の前面開口を開閉する外扉１０に設けられ、かつ外扉１０に形成された表示窓部１１を通じて各種情報を表示するディスプレイ装置３０を備えた自動販売機において、外扉１０の背面において補強金２３により構成され、かつディスプレイ装置３０の右側面に形成された排気口３３より排出された排気を機械室３に向けて送出する第１排気ダクト６２と、機械室３において仕切壁６に仕切られるとともに第１排気ダクト６２に連通する態様で設けられ、第１排気ダクト６２を通じて送出された排気を本体キャビネット１外部に排出する第２排気ダクト６３とを備えたものである。【選択図】図２
2012103908.tif 000002
【特許請求の範囲】
【請求項１】
自動販売機本体の前面開口を開閉する外扉に設けられ、かつ該外扉に形成された窓部を通じて各種情報を表示するディスプレイ装置を備えた自動販売機において、
前記外扉の背面において補強金により構成され、かつ前記ディスプレイ装置の左側面及び右側面のいずれか一方に形成された排気口より排出された排気を前記自動販売機本体の機械室に向けて送出する第１排気ダクトと、
前記機械室において仕切壁に仕切られるとともに前記第１排気ダクトに連通する態様で設けられ、前記第１排気ダクトを通じて送出された排気を自動販売機本体外部に排出する第２排気ダクトと
を備えたことを特徴とする自動販売機。
【請求項２】
前記第１排気ダクトは、外扉に着脱可能に設けられ、かつ該外扉に装着された場合に自身の導入口が前記ディスプレイ装置の排気口に連通する排気導入部材を備えたことを特徴とする請求項１に記載の自動販売機。
【請求項３】
前記外扉の背面において補強金により構成され、かつ前記排気口が形成された側面と反対側の側面に形成された吸気口に外気を送出する給気ダクトを備えたことを特徴とする請求項１又は請求項２に記載の自動販売機。
【請求項４】
前記給気ダクトは、外扉に着脱可能に設けられ、かつ該外扉に装着された場合に自身の導出口が前記ディスプレイ装置の吸気口に連通する給気導入部材を備えたことを特徴とする請求項３に記載の自動販売機。
【発明の詳細な説明】
【技術分野】
【０００１】
本発明は、自動販売機に関し、より詳細には、自動販売機本体の前面開口を開閉する外扉に設けられ、かつ該外扉に形成された窓部を通じて各種情報を表示するディスプレイ装置を備えた自動販売機に関するものである。
【背景技術】
【０００２】
従来、自動販売機本体の前面開口を開閉する外扉に設けられ、かつ該外扉に形成された窓部を通じて各種情報を表示するディスプレイ装置を備えた自動販売機が知られている（例えば、特許文献１参照）。
【先行技術文献】
【特許文献】
【０００３】
【特許文献１】特許第４２４２０３０号公報
【発明の概要】
【発明が解決しようとする課題】
【０００４】
ところで、上述したような自動販売機のディスプレイ装置は、排気口が背面に設けられているために、かかる排気口から排出された排気を自動販売機本体外部に排出するためには、ディスプレイ装置の背面域に専用のスペースが必要となり、自動販売機自体の大型化、あるいは自動販売機における商品収納数の低減化を招来してしまい、スペース効率にも優れたものとはいえない。
【０００５】
本発明は、上記実情に鑑みて、自動販売機自体の大型化や商品収納数の低減化を抑制し、ディスプレイ装置からの排気を外部に良好に排出することで排熱により自動販売機構成機器に悪影響を与えることを防止することができる自動販売機を提供することを目的とする。
【課題を解決するための手段】
【０００６】
上記目的を達成するために、本発明の請求項１に係る自動販売機は、自動販売機本体の前面開口を開閉する外扉に設けられ、かつ該外扉に形成された窓部を通じて各種情報を表示するディスプレイ装置を備えた自動販売機において、前記外扉の背面において補強金により構成され、かつ前記ディスプレイ装置の左側面及び右側面のいずれか一方に形成された排気口より排出された排気を前記自動販売機本体の機械室に向けて送出する第１排気ダクトと、前記機械室において仕切壁に仕切られるとともに前記第１排気ダクトに連通する態様で設けられ、前記第１排気ダクトを通じて送出された排気を自動販売機本体外部に排出する第２排気ダクトとを備えたことを特徴とする。
【０００７】
また、本発明の請求項２に係る自動販売機は、上述した請求項１において、前記第１排気ダクトは、外扉に着脱可能に設けられ、かつ該外扉に装着された場合に自身の導入口が前記ディスプレイ装置の排気口に連通する排気導入部材を備えたことを特徴とする。
【０００８】
また、本発明の請求項３に係る自動販売機は、上述した請求項１又は請求項２において、前記外扉の背面において補強金により構成され、かつ前記排気口が形成された側面と反対側の側面に形成された吸気口に外気を送出する給気ダクトを備えたことを特徴とする。  また、本発明の請求項４に係る自動販売機は、上述した請求項３において、前記給気ダクトは、外扉に着脱可能に設けられ、かつ該外扉に装着された場合に自身の導出口が前記ディスプレイ装置の吸気口に連通する給気導入部材を備えたことを特徴とする。
【発明の効果】
【０００９】
本発明の自動販売機によれば、ディスプレイ装置の左側面及び右側面のいずれか一方に排気口が形成されているので、ディスプレイ装置の背面域に排気に要する専用のスペースが不要であり、これにより自動販売機自体の大型化や商品収納数の低減化を抑制することができる。しかも、外扉の背面において補強金により構成された第１排気ダクトがディスプレイ装置の左側面及び右側面のいずれか一方に形成された排気口より排出された排気を自動販売機本体の機械室に向けて送出し、機械室において仕切壁に仕切られるとともに第１排気ダクトに連通する態様で設けられた第２排気ダクトが、第１排気ダクトを通じて送出された排気を自動販売機本体外部に排出するので、ディスプレイ装置の排熱により自動販売機構成機器に悪影響を与える虞れがない。従って、自動販売機自体の大型化や商品収納数の低減化を抑制し、ディスプレイ装置からの排気を外部に良好に排出することで排熱により自動販売機構成機器に悪影響を与えることを防止することができるという効果を奏する。
【図面の簡単な説明】
【００１０】
【図１】図１は、本発明の実施の形態である自動販売機を前方斜め上方より示す斜視図である。
【図２】図２は、図１に示した外扉の筐体構造を後方から示す斜視図である。
【図３】図３は、図１に示した外扉の要部の縦断面を拡大して示す断面側面図である。
【図４】図４は、図３に示した特徴部分を更に拡大して示す断面側面図である。
【図５】図５は、センサ取付装置の要部を分解して示す分解斜視図である。
【図６】図６は、図３及び図４に示したセンサ取付装置を後方斜め上方より示す拡大斜視図である。
【図７】図７は、図３及び図４に示したセンサ取付装置の要部を拡大して示す断面側面図である。
【図８】図８は、センサの検知角度を調整した状態を拡大して示す断面側面図である。
【図９】図９は、図１に示した外扉の要部の横断面を拡大して示す断面平面図である。
【図１０】図１０は、図９に示した扉開閉装置を模式的に示す斜視図である。
【図１１】図１１は、図２に示したディスプレイ装置を模式的に示す説明図である。
【図１２】図１２は、ダクト構造を構成する給気導入部材及び排気導入部材を模式的に示す説明図である。
【図１３】図１３は、図２に示した補強部材を模式的に示す説明図である。
【図１４】図１４は、図１に示した本体キャビネットの機械室の要部の横断面図である。
【発明を実施するための形態】
【００１１】
以下に添付図面を参照して、本発明に係る自動販売機の好適な実施の形態について詳細に説明する。
【００１２】
図１は、本発明の実施の形態である自動販売機を前方斜め上方より示す斜視図である。ここで例示する自動販売機は、自動販売機本体である本体キャビネット１に収納した商品を販売するためのもので、本体キャビネット１の前面に外扉１０を備えている。
【００１３】
図２は、図１に示した外扉１０の筐体構造を後方から示す斜視図である。かかる図２を適宜利用して外扉１０の構成について説明する。外扉１０は、本体キャビネット１の前面開口を覆うためのもので、本体キャビネット１の左側縁部（一側縁部）に開閉可能に配設してある。この外扉１０には、表示窓部１１、商品取出口１２、情報交信部１３、紙幣投入口１４、硬貨投入口１５、第１センサ窓部１６、第２センサ窓部１７等、商品を販売する上で必要となる構成が設けてある。尚、本実施の形態においては、右側とは、自動販売機を正面から見た場合の右方を示し、左側とは、自動販売機を正面から見た場合の左方を示すものとして説明する。
【００１４】
表示窓部１１は、図２に示すように、外扉１０に設置されたディスプレイ装置３０の表示部３１を前方側より視認させるとともに操作させるための開口である。このディスプレイ装置３０の表示部３１は、タッチパネル式画面となっており、販売対象となる商品及び商品価格を表示する表示手段としての機能を有するとともに、利用者により商品を表示する部分が押圧されると、当該商品が選択された旨の信号を図示せぬ制御装置に与える入力手段としての機能を有するものである。また、かかる表示部３１は、後述するセンサＳにより所定の範囲内に対象となる人を検知しない場合には、予め設定された広告等を表示する機能を有している。
【００１５】
商品取出口１２は、本体キャビネット１に収納された商品が払い出された場合に、これを外部に取り出すための開口である。情報交信部１３は、携帯端末を翳すことによりイベント情報等の種々の情報を無線により該携帯端末に書き込むものである。
【００１６】
紙幣投入口１４は、利用者が紙幣を投入するための開口である。この紙幣投入口１４を通じて投入された紙幣は、ビルバリデータと称される図示せぬ紙幣処理装置において処理されることになる。紙幣処理装置は、紙幣投入口１４を通じて投入された紙幣が正規なものであるか否かを識別し、正規なものとして識別した紙幣を内部に取り込む一方、損傷や偽造等の理由により正規な紙幣として識別できなかった紙幣を返却するものである。また、紙幣処理装置は、紙幣が投入された直後に返却レバー１８が操作された場合、これを返却するように機能する。尚、紙幣投入口１４は、紙幣を返却する際の紙幣返却口としても機能するように構成してある。
【００１７】
硬貨投入口１５は、利用者が硬貨を投入するための開口である。この硬貨投入口１５を通じて投入された硬貨は、コインメックと称される図示せぬ硬貨処理装置において処理されることになる。硬貨処理装置は、硬貨投入口１５を通じて投入された硬貨が正規なものであるか否かを識別し、正規なものとして識別した硬貨を内部に取り込む一方、損傷や偽造等の理由により正規なものとして識別できなかった硬貨を返却するものである。また、硬貨処理装置は、硬貨が投入された直後に返却レバー１８が操作された場合、これを返却するように機能する。尚、硬貨処理装置によって正規なものとして内部に取り込まれた硬貨は、硬貨処理装置に内蔵される金種別の釣銭筒にそれぞれ収容され、当該釣銭筒が満杯の場合には、図示していない硬貨回収箱に回収されることになる。また、硬貨投入口１５から投入した硬貨を返却する場合には、外扉１０の下部に設けた硬貨返却口１９を通じて行われる。尚、図１中の符号２０は、電子マネー等の金銭情報が格納されたＩＣカード（記録媒体）が翳された場合に該ＩＣカードとの間で通信を行い必要な情報の読み出し及び書き込みを行うためのリーダライタ部である。
【００１８】
第１センサ窓部１６は、表示窓部１１の上方側中央に配設してある。この第１センサ窓部１６は、詳細な説明は割愛するが、自動販売機の前面に立つ人物の性別や年齢等を予め設定された基準に従って判断するセンサ（図示せず）の観察用開口である。
【００１９】
第２センサ窓部１７は、複数（図示の例では３つ）あり、表示窓部１１の下方側において左右方向に沿ってそれぞれが互いに離隔する態様で設けてある。
【００２０】
このような外扉１０は、上記構成の他に、センサ取付装置４０及び扉開閉装置５０を備えて構成してある。ここで図３は、図１に示した外扉１０の要部の縦断面を拡大して示す断面側面図であり、図４は、図３に示した特徴部分を更に拡大して示す断面側面図であり、図５は、センサ取付装置４０の要部を分解して示す分解斜視図である。これら図３〜図５を適宜利用しながらセンサ取付装置４０について説明する。
【００２１】
センサ取付装置４０は、支持板金部材４１及び取付板金部材４２を備えて構成してある。支持板金部材４１は、平板状の板金を屈曲加工して縦断面が略Ｌ字状を成すよう構成されるもので、左右方向が長手方向となる長尺状の部材である。この支持板金部材４１は、第２センサ窓部１７の後方域において自身の両端部４１ａがねじ４１ｂにより外扉１０の枠体（図示せず）に締結されて配設してある。このような支持板金部材４１は、水平延在部４１１及び垂上部４１２を有している。
【００２２】
水平延在部４１１は、水平面を構成する部位であり、外扉１０の支持板金２１に載置している。この水平延在部４１１の前端部は上方に屈曲しており、屈曲部位を含む個所には係止孔４１１ａが形成してある。
【００２３】
垂上部４１２は、水平延在部４１１の後端部より上方に向けて延在する部位であり、その上端延部は前方に向けて屈曲している。この垂上部４１２には上下方向が長手方向となる長孔４１２ａが形成してある。また、垂上部４１２には、図５に示すように切欠４１２ｂが形成してある。かかる切欠４１２ｂは、センサＳに接続された配線を通すためのものである。
【００２４】
取付板金部材４２は、平板状の板金を切削加工及び屈曲加工して構成されるもので、基部４２１と、支持片部４２２と、取付片部４２３とを有している。基部４２１は、平板状のものであり、前端部に前方に向けて突出する２つの進入部４２１ａを有している。この基部４２１の後端部は分割されて３つの舌片状部位が形成してある。
【００２５】
支持片部４２２は、基部４２１の後端部の３つの舌片状部位のうち左右の舌片状部位を上方に向けて直角に屈曲させて形成したものである。つまり、支持片部４２２は、基部４２１の後端部の一部より上方に向けて延在するものである。この支持片部４２２には貫通孔４２２ａが形成してあり、この貫通孔４２２ａを貫通する取付ねじ４２２ｂによりセンサＳが取り付けられている。このように取付板金部材４２は、取付ねじ４２２ｂを介してセンサＳに一体的に取り付けられて成る部材である。ここでセンサＳは、図には明示しないが、前面に発光部及び受光部を有しており、所定範囲内における人物等を検知することが可能な人感センサである。かかるセンサＳは、人物等を検知した場合には検知信号を制御装置に与える。これによりディスプレイ装置３０の表示部３１は、広告等の表示から商品及び商品価格の表示に変更する。
【００２６】
取付片部４２３は、基部４２１の後端部の３つの舌片状部位のうち中央の舌片状部位を上方に向けて屈曲させて形成したものである。つまり、取付片部４２３は、基部４２１の後端部の一部より上方に向けて延在するものである。この取付片部４２３にはねじ孔４２３ａが形成してある。また、取付片部４２３は、基部４２１とのなす角θが常態においては鈍角となるように屈曲させてある。
【００２７】
更に、この取付片部４２３と基部４２１との境界部分には複数の孔部４２３ｂが形成してある。このように複数の孔部４２３ｂが形成してあることにより、取付片部４２３は基部４２１との境界部分を支点として前後方向に沿って容易に変形することが可能である。
【００２８】
このような取付板金部材４２は、基部４２１の進入部４２１ａをそれぞれ支持板金部材４１を構成する水平延在部４１１の係止孔４１１ａに進入させて基部４２１を支持板金部材４１に係合させ、支持板金部材４１の垂上部４１２に形成された長孔４１２ａと、取付板金部材４２の取付片部４２３に形成されたねじ孔４２３ａとに後方側よりねじ部材４３を挿通させることで、図６に示すように支持板金部材４１に締結される。このとき取付板金部材４２の取付片部４２３の後面４２３ｃが支持板金部材４１の垂上部４１２の前面４１２ｃに常時接するようにする。
【００２９】
これにより、図７に示すようにセンサＳを傾斜した姿勢で第２センサ窓部１７の後方域に配設することができる。このとき、センサＳは水平面に対して下方に約６°傾いており、図６に示すようにねじ部材４３は長孔４１２ａの上端縁部に接した状態となっている。これによりセンサＳは、第２センサ窓部１７を通じて所定範囲内における対象物（人物）を検知することが可能になる。
【００３０】
ところで、このようなセンサＳの配設状態ではセンサＳが本来の検知対象である人物ではなく柱等を検知してしまう等の不都合が生ずることがある。このような場合、センサＳの傾斜角度を変更することにより検知角度を調整する必要がある。センサＳの検知角度を調整する場合には、長孔４１２ａから後方に突出するねじ部材４３の頭部を下方に向けて押圧する。つまり、ねじ部材４３を長孔４１２ａの長手方向に沿って下方に向けて移動させる。これにより、該ねじ部材４３に挿通されるねじ孔４２３ａを有する取付板金部材４２は、進入部４２１ａと係止孔４１１ａの開口縁部との当接個所を支点として下方に向けて移動することになる。このとき、取付板金部材４２の取付片部４２３は、自身の後面４２３ｃが垂上部４１２の前面４１２ｃに摺接した状態で基部４２１との境界部分を支点として前方に向けて弾性変形する。つまり、垂上部４１２には取付片部４２３より弾性変形による反力が作用しており、これによりねじ部材４３の下方への移動を停止させてもその時点でのセンサＳの傾斜角度を保持することが可能になる。
【００３１】
そして、ねじ部材４３が長孔４１２ａの下端縁部に接することで、取付板金部材４２は、図８に示すように基部４２１の下面が水平延在部４１１の上面に接し、センサＳを水平姿勢で第２センサ窓部１７の後方域に配設することができる。このとき基部４２１に対する取付片部４２３のなす角θは略直角となる。つまり、上記センサ取付装置４０においては、センサＳの検知角度を水平面に対して０〜６°の間で調整することができる。
【００３２】
図９は、図１に示した外扉１０の要部の横断面を拡大して示す断面平面図である。ここで例示する扉開閉装置５０は、操作カム部材５１とスライダ部材５２とを備えて構成してある。
【００３３】
操作カム部材５１は、外扉１０の前面に設けられた操作ハンドルＨの操作に応じて自身の軸心Ｌ回りに回動するものである。より詳細には、操作カム部材５１は、基準位置と進出位置との間で軸心Ｌ回りに回動するものである。ここで基準位置は、操作ハンドルＨを施錠操作した場合の操作カム部材５１の位置であり、進出位置は、操作ハンドルＨを解錠操作した場合の操作カム部材５１の位置である。
【００３４】
スライダ部材５２は、図１０に示すように横断面がコ字状を成す長尺状部材である。このスライダ部材５２は、解錠位置と施錠位置との間で上下方向に沿ってスライド移動可能に配設してある。ここで解錠位置は、スライダ部材５２の上限位置であり、外扉１０が開閉移動することにより本体キャビネット１に設けられたロック爪部材２が該スライダ部材５２の矩形状孔部５２１に相対的に進入及び離脱することを許容する位置である。施錠位置は、スライダ部材５２の下限位置であり、矩形状孔部５２１に相対的に進入したロック爪部材２が該矩形状孔部５２１より離脱することを規制する位置である。
【００３５】
このようなスライダ部材５２は、当接片５２２を有している。当接片５２２は、上方から見た場合にＬ字状を成す板状体であり、スライダ部材５２に設けられた貫通孔５２３を貫通する態様で基端部がねじにより該スライダ部材５２に取り付けられている。この当接片５２２は、先端部が操作カム部材５１の軸心Ｌに近接する態様で突出するよう設けてある。
【００３６】
このような扉開閉装置５０においては、操作ハンドルＨを施錠操作することにより操作カム部材５１が基準位置に位置する場合には、スライダ部材５２を施錠位置に位置させる一方、操作ハンドルＨを解錠操作することにより操作カム部材５１が基準位置から進出位置に向けて回動する場合には、操作カム部材５１が当接片５２２に当接することによりスライダ部材５２を施錠位置から解錠位置にスライド移動させることになる。尚、スライダ部材５２を施錠位置から解錠位置までスライド移動させた後に、操作ハンドルＨを施錠操作することで操作カム部材５１が進出位置から基準位置まで回動させると、スライダ部材５２は、自身の自重により、あるいは図示せぬ操作カム部材５１との連係手段を介して解錠位置から施錠位置までスライド移動するものである。
【００３７】
以上説明した自動販売機は、ダクト構造６０を更に有している。ダクト構造６０は、給気ダクト６１、第１排気ダクト６２及び第２排気ダクト６３（図１４参照）を備えて構成してあり、外気をディスプレイ装置３０に送出するとともに、ディスプレイ装置３０からの排気を自動販売機の外部に排出するものである。
【００３８】
ここでディスプレイ装置３０について説明する。ディスプレイ装置３０は、上述したように前面にタッチパネル式画面である表示部３１を有するものであり、図１１に示すように、左側面に吸気口３２が形成してあり、右側面に排気口３３が形成してある。このようなディスプレイ装置３０においては、吸気口３２よりも内方個所に図には明示しない吸気ファンが配設してあり、かかる吸気ファンが駆動することで吸気口３２を通じての吸気が可能になる。また排気口３３よりも内方個所に図には明示しない排気ファンが配設してあり、かかる排気ファンが駆動することで排気口３３を通じての排気が可能になる。
【００３９】
ダクト構造６０を構成する給気ダクト６１は、吸気ファンの駆動により、外扉１０の下端に形成した外気入口（図示せず）から外気を吸気口３２に送出するためのもので、図２に示すように、外扉１０の背面において補強金２２により主に構成されている。より詳細には、かかる補強金２２と外扉１０の左側部とにより主に構成されるものである。
【００４０】
このような給気ダクト６１は、給気導入部材６１１及び補強部材６１２を有している。給気導入部材６１１は、図１２の（ａ）に示すように横断面がコ字状を成す長尺状部材である。この給気導入部材６１１は、ディスプレイ装置３０を外扉１０に取り付ける際に装着され、該ディスプレイ装置３０を外扉１０から取り出す際に取り外される着脱可能なものである。このような給気導入部材６１１は、外扉１０に装着された場合にディスプレイ装置３０の吸気口３２に連通する導出口６１１ａが形成してある。尚、図１２の（ａ）中の符号６１１ｂは、給気ダクト６１を構成する補強金２２に形成された送出口（図示せず）から空気を流入する流入口である。
【００４１】
補強部材６１２は、外扉１０の背面において左下端部に配設してあり、外扉１０の補強金２２を補強する機能を有するものである。かかる補強部材６１２は、背面から見た場合に三角形状を有しており、図１３に示すように下面及び左側面に第１通過口６１２ａ及び第２通過口６１２ｂが形成してある。このような補強部材６１２は、外気入口を通じて進入した外気を、第１通過口６１２ａを通じて自身の内部に進入させ、第２通過口６１２ｂを通じて送出することで、自身の内部を通過させるものである。
【００４２】
このような補強部材６１２を用いることで、空気の流路が直角となることを回避し、外気の流れを良好なものとすることができる。
【００４３】
ダクト構造６０を構成する第１排気ダクト６２は、排気ファンの駆動により、排気口３３から排出された排気を本体キャビネット１の機械室３に向けて送出するためのものである。ここで機械室３は、本体キャビネット１の下方、すなわち販売する商品を収納する商品収容庫の下方に区画された室であり、圧縮機４や凝縮器５等の種々の機器が配設されている（図１４参照）。この第１排気ダクト６２は、図２に示すように外扉１０の背面において補強金２３により主に構成されており、より詳細には、かかる補強金２３と外扉１０の右側部とにより主に構成されるものである。
【００４４】
このような第１排気ダクト６２は、排気導入部材６２１を有している。排気導入部材６２１は、図１２の（ｂ）に示すように横断面がコ字状を成す長尺状部材である。この排気導入部材６２１は、ディスプレイ装置３０を外扉１０に取り付ける際に装着され、該ディスプレイ装置３０を外扉１０から取り出す際に取り外される着脱可能なものである。このような排気導入部材６２１には、外扉１０に装着された場合にディスプレイ装置３０の排気口３３に連通する導入口６２１ａが形成してある。尚、図１２の（ｂ）中の符号６２１ｂは、第１排気ダクト６２を構成する補強金２３に形成された受入口２３ａに排気を流出する流出口である。
【００４５】
第２排気ダクト６３は、図１４に示すように、機械室３において仕切壁６により圧縮機４等が配設された室と仕切られており、第１排気ダクト６２に連通している。この第２排気ダクト６３は、排気ファンの駆動により、第１排気ダクト６２を通じて送出された排気を本体キャビネット１の外部に排出するものである。
【００４６】
以上のような構成を有する自動販売機においては、次のような作用効果を奏することができる。
【００４７】
自動販売機のセンサ取付装置４０によれば、垂上部４１２（支持板金部材４１）の長孔４１２ａ及び取付片部４２３（取付板金部材４２）のねじ孔４２３ａを後方側より挿通して支持板金部材４１及び取付板金部材４２を締結するねじ部材４３を長孔４１２ａの長手方向（上下方向）に沿って移動させることでセンサＳの検知角度を調整できるので、センサＳの検知角度を調整する場合には、外扉１０を開成移動させた後に支持板金部材４１を取り外すことなくねじ部材４３を移動させるだけでよい。従って、センサＳの検知角度の調整作業を簡単なものとすることができる。
【００４８】
また、上記センサ取付装置４０によれば、基部４２１に対する取付片部４２３のなす角θが常態においては鈍角とし、かつ該取付片部４２３の後面４２３ｃが垂上部４１２の前面４１２ｃに常時接するようにしているために、例えばねじ部材４３が緩んで支持板金部材４１と取付板金部材４２との締結力が弱まったとしても、取付片部４２３は、自身の弾性復元力により基部４２１とのなす角θを鈍角に保持することで、センサＳの検知角度を初期の角度に維持することができる。
【００４９】
自動販売機の扉開閉装置５０によれば、操作カム部材５１の軸心Ｌに近接する態様で突出するよう設けられ、かつ基準位置から進出位置に向けて回動する操作カム部材５１に当接可能な当接片５２２がスライダ部材５２に設けられているので、操作カム部材５１の延在長さを大きくする必要がない。よって、スライダ部材５２と操作カム部材５１との離間距離が大きくなってしまっても操作ハンドルＨの操作力の増大を抑制することができる。
【００５０】
上記自動販売機によれば、ディスプレイ装置３０の右側面に排気口３３が設けてあるので、ディスプレイ装置３０の背面域に排気に要する専用のスペースが不要であり、これにより自動販売機自体の大型化や商品収納数の低減化を抑制することができる。しかもダクト構造６０を構成する第１排気ダクト６２及び第２排気ダクト６３がディスプレイ装置３０からの排気を外部に良好に排出することができるので、ディスプレイ装置３０の排熱により自動販売機構成機器に悪影響を与える虞れがない。従って、自動販売機自体の大型化や商品収納数の低減化を抑制し、ディスプレイ装置３０からの排気を外部に良好に排出することで排熱により自動販売機構成機器に悪影響を与えることを防止することができる。
【００５１】
また、自動販売機によれば、ダクト構造６０を構成する給気ダクト６１及び第１排気ダクト６２は、外扉１０の補強金２２，２３により主に構成してあるので、スペースを有効活用することができ、これによっても自動販売機の大型化や商品収納数の低減化を抑制することができる。
【産業上の利用可能性】
【００５２】
以上のように、本発明に係る自動販売機は、例えば缶入り飲料やペットボトル入り飲料等の商品を販売するのに有用である。
【符号の説明】
【００５３】
１  本体キャビネット
２  ロック爪部材
３  機械室
４  圧縮機
５  凝縮器
６  仕切壁
１０  外扉
１７  第２センサ窓部
２２  補強金
２３  補強金
３０  ディスプレイ装置
３１  表示部
３２  吸気口
３３  排気口
４０  センサ取付装置
４１  支持板金部材
４１１  水平延在部
４１１ａ  係止孔
４１２ａ  長孔
４１２ｂ  切欠
４１２ｃ  前面
４１２  垂上部
４２  取付板金部材
４２１  基部
４２１ａ  進入部
４２２  支持片部
４２２ａ  貫通孔
４２２ｂ  取付ねじ
４２３  取付片部
４２３ａ  ねじ孔
４２３ｂ  孔部
４２３ｃ  後面
４３  ねじ部材
５０  扉開閉装置
５１  操作カム部材
５２  スライダ部材
５２１  矩形状孔部
５２２  当接片
６０  ダクト構造
６１  給気ダクト
６１１  給気導入部材
６１２  補強部材
６２  第１排気ダクト
６２１  排気導入部材
６３  第２排気ダクト
Ｈ  操作ハンドル
Ｌ  軸心
Ｓ  センサ
【図１】
2012103908.tif 000003
【図２】
2012103908.tif 000004
【図３】
2012103908.tif 000005
【図４】
2012103908.tif 000006
【図５】
2012103908.tif 000007
【図６】
2012103908.tif 000008
【図７】
2012103908.tif 000009
【図８】
2012103908.tif 000010
【図９】
2012103908.tif 000011
【図１０】
2012103908.tif 000012
【図１１】
2012103908.tif 000013
【図１２】
2012103908.tif 000014
【図１３】
2012103908.tif 000015
【図１４】
2012103908.tif 000016